(57)【要約】【課題】ＬＥＤ照明によって電源と光源を小型軽量化し、さらに単板式とすることで装置全体の小型化が可能で、かつ、ライトバルブ・光源ともに長寿命化を図った表示装置を得る。【解決手段】単一のライトバルブ１と、このライトバルブ１を照明するための照明系とを有してなり、照明系は、赤色、緑色、青色の発光ダイオード３を各々少なくとも二つずつと、これらの発光ダイオード３から射出された照明光によって上記ライトバルブ１を複数の色ライトバンドで照明するためのレンチキュラーレンズ２を少なくとも一枚備える。【選択図】図２
2006084753.tif 000002
【特許請求の範囲】
【請求項１】
単一のライトバルブと、このライトバルブを照明するための照明系とを有してなり、
照明系は、赤色、緑色、青色の発光ダイオードを各々少なくとも二つずつと、これらの発光ダイオードから射出された照明光によって上記ライトバルブを複数の色ライトバンドで照明するためのレンチキュラーレンズを少なくとも一枚備えていることを特徴とするカラー表示装置。
【請求項２】
レンチキュラーレンズに代えてアナモフィックレンズとした請求項１記載のカラー表示装置。
【請求項３】
赤色、緑色、青色それぞれの発光ダイオードのオン・オフによって、各色ライトバンドの色を切り替える請求項１または２記載のカラー表示装置。
【請求項４】
各色ライトバンドには、赤色、緑色、青色の発光ダイオードが各々少なくとも一つずつ対応している請求項１乃至３のいずれかに記載のカラー表示装置。
【請求項５】
異なる色のライトバンド間のライトバンドは、赤色、緑色、青色の発光ダイオードをそれぞれオフすることによって無照明状態とする請求項１乃至４のいずれかに記載のカラー表示装置。
【請求項６】
異なる色のライトバンド間のライトバンドは、赤色、緑色、青色の発光ダイオードをそれぞれオンすることによって白色照明状態とする請求項１乃至４のいずれかに記載のカラー表示装置。
【請求項７】
赤色、緑色、青色の発光ダイオードそれぞれのオン・オフ信号と、ライトバルブの画素の変調信号を同期させることでカラー表示を行う請求項１または２記載のカラー表示装置。
【請求項８】
色ライトバンドにより照射される各ライトバルブ部分をアドレス指定して、この部分に当該色ライトバンドの色の画像情報を提供させるとともに、当該バンドをこの情報によって変調させるためのライトバルブ駆動回路を有する請求項１または２記載のカラー表示装置。
【請求項９】
赤色、緑色、青色それぞれの発光ダイオードはアレイ状に配列されている請求項１または２記載のカラー表示装置。
【請求項１０】
赤色、緑色、青色それぞれの発光ダイオードからの赤色、緑色、青色の照明光をそれぞれの入射面に入射し、残り１面の射出面から各色あるいは各色が合成された照明光を射出するクロスダイクロイックプリズムを有する請求項１または２記載のカラー表示装置。
【請求項１１】
発光ダイオードごとに少なくとも一つずつのカップリングレンズを備える請求項１乃至１０のいずれかに記載のカラー表示装置。
【請求項１２】
発光ダイオードと照明系を構成するレンズの間に少なくとも一つのマイクロレンズアレイを有する請求項１乃至１１のいずれかに記載のカラー表示装置。
【請求項１３】
発光ダイオードとライトバルブの間に少なくとも一つの偏光変換素子を有する請求項１乃至１２のいずれかに記載のカラー表示装置。
【請求項１４】
ライトバルブは透過型液晶素子である請求項１乃至１３のいずれかに記載のカラー表示装置。
【請求項１５】
ライトバルブは反射型液晶素子である請求項１乃至１３のいずれかに記載のカラー表示装置。
【請求項１６】
ライトバルブはデジタルマイクロミラーデバイス（ＤＭＤ）である請求項１乃至１３のいずれかに記載のカラー表示装置。
【請求項１７】
表示装置により形成される画像を被投射面上に投射表示するプロジェクタであって、
表示装置は請求項１乃至１６のいずれかに記載のカラー表示装置であることを特徴とするプロジェクタ。
【請求項１８】
表示装置により形成される画像を観察するための接眼レンズを有してなる接眼型表示装置であって、
表示装置は請求項１乃至１６のいずれかに記載のカラー表示装置であることを特徴とする接眼型表示装置。
【発明の詳細な説明】
【技術分野】
【０００１】
本発明はプロジェクタやリアプロジェクションテレビなどのカラー画像表示装置に関する。
【背景技術】
【０００２】
プロジェクタのカラー表示方法として現在一般には、以下の二通りの方式が採用されている。
【０００３】
一つの方式は、白色の熱光源から出た光を赤色、緑色、青色の三原色の光に分離して、三枚のライトバルブをそれぞれの色光で照明し、各ライトバルブで変調された光をクロスダイクロイックプリズムのような色合成光学系で合成し、スクリーン上の各画素に三原色の照明光が常時投射され混色される方式である。この方式は、ライトバルブを三枚使うことから、通常「三板式」と呼ばれる。
【０００４】
もう一つの方式は、三原色の光を時間的に分割して順番に投射する時分割混色方式である。この方式は、ライトバルブが一枚で済むことから、通常「単板式」と呼ばれる。
【０００５】
三板式は色分離光学系のスペースを必要とするため、プロジェクタを小型化する上では単板式の方が望ましい。また、三板式は三枚のライトバルブを必要とするため、コスト面からも単板式の方が望ましい。
従来プロジェクタの分野では、単板式にしても三板式の場合と同様に、超高圧水銀灯やキセノンランプ等のいわゆる熱光源ランプが使用されている。熱光源ランプは、その入力電力から光への変換効率の低さから、入力電力が大きい。また、熱光源ランプは、電源とランプ（多くは反射鏡付き）の寸法も大きく、冷却ファンなども必要とする。そのため、熱光源ランプの重量は重く、また、ライトバルブ（特に液晶ライトバルブ）の寿命は熱のために短縮されているといった問題があった。
【０００６】
そこで、近年開発が活発に行われている発光ダイオード（Light Emitting Diode：以下、「ＬＥＤ」という）をプロジェクタ用の光源として採用する案が提案されている。ＬＥＤは、一般的に長寿命、高効率、高速応答、単色発光などの利点を有しており、ＬＥＤ素子の明るさの急激な高まりも相俟って、多くの照明分野への応用が期待されている。
【０００７】
ＬＥＤをプロジェクタに用いる案（たとえば、特許文献１参照）によると、光源に発光素子アレイを用い、アレイ内の発光素子それぞれがライトバルブ（光変調装置）の光変調領域全体を照明し、高速で三原色の発光素子をオン・オフすることでカラー表示するとある。
たしかに、反射型液晶表示素子や、ＤＭＤ（Digital Micromirror Device）のようにライトバルブ面上の変調情報を一括で変えることができる単板カラー表示装置（たとえば、特許文献２または３参照）であれば、このような方式のカラー表示は可能である。しかし、現在最も一般的に利用されている透過型のＴＦＴ液晶では、このようなカラー表示を行うことができない。
【０００８】
透過型ＴＦＴ液晶を用いた単板カラー表示を可能とした技術も提案されている（特許文献４または５参照）。特許文献４または５の図３の説明にあるように、ＴＦＴ液晶を用いた表示装置の分野では、画像情報は行ドライバによって、一行ずつ逐次入力される。したがって、透過型ＴＦＴ液晶による単板カラー表示を行うには、特許文献４に記載されているように、カラーバンドをライトバルブ上の色情報と同期させて、プリズム手段を回転させることでカラーバンドを逐次移動させる方式（以下、「カラースクロール方式」という）が有効である。
【０００９】
ただし、この方式も前述の熱光源を分光することが前提であり、ＬＥＤ光源を用いる場合には三原色のＬＥＤを用いる方法が望ましい。
【００１０】
しかしながら、三原色のＬＥＤを用いた場合にも、回転プリズム手段はいかにも大型な部品であり、小型化には不向きである。
【特許文献１】特開２００１−２４９４００号公報
【特許文献２】特開２００２−２４４２１１号公報
【特許文献３】特開２００３−１８６１１０号公報
【特許文献４】特許第３３５２１００号明細書
【特許文献５】特許第３２８０９８４号明細書
【発明の開示】
【発明が解決しようとする課題】
【００１１】
本発明は、ＬＥＤ照明によって電源と光源を小型軽量化し、さらに単板式とすることで装置全体の小型化が可能な表示装置を提供することを目的とし、同時に、ライトバルブ・光源ともに長寿命化を図った表示装置を提供することを目的とする。
【課題を解決するための手段】
【００１２】
請求項１記載の発明は、単一のライトバルブと、このライトバルブを照明するための照明系とを有してなり、照明系は、赤色、緑色、青色の発光ダイオードを各々少なくとも二つずつと、これらの発光ダイオードから射出された照明光によって上記ライトバルブを複数の色ライトバンドで照明するためのレンチキュラーレンズを少なくとも一枚備えていることを特徴とする。
【００１３】
請求項２記載の発明は、請求項１記載の発明において、レンチキュラーレンズに代えてアナモフィックレンズとしたことを特徴とする。
【００１４】
請求項３記載の発明は、請求項１または２記載の発明において、赤色、緑色、青色それぞれの発光ダイオードのオン・オフによって、各色ライトバンドの色を切り替えることを特徴とする。
【００１５】
請求項４記載の発明は、請求項１乃至３のいずれかに記載の発明において、各色ライトバンドには、赤色、緑色、青色の発光ダイオードが各々少なくとも一つずつ対応していることを特徴とする。
【００１６】
請求項５記載の発明は、請求項１乃至４のいずれかに記載の発明において、異なる色のライトバンド間のライトバンドは、赤色、緑色、青色の発光ダイオードをそれぞれオフすることによって無照明状態とすることを特徴とする。
【００１７】
請求項６記載の発明は、請求項１乃至４のいずれかに記載の発明において、異なる色のライトバンド間のライトバンドは、赤色、緑色、青色の発光ダイオードをそれぞれオンすることによって白色照明状態とすることを特徴とする。
【００１８】
請求項７記載の発明は、請求項１または２記載の発明において、赤色、緑色、青色の発光ダイオードそれぞれのオン・オフ信号と、ライトバルブの画素の変調信号を同期させることでカラー表示を行うことを特徴とする。
【００１９】
請求項８記載の発明は、請求項１または２記載の発明において、色ライトバンドにより照射される各ライトバルブ部分をアドレス指定して、この部分に当該色ライトバンドの色の画像情報を提供させるとともに、当該バンドをこの情報によって変調させるためのライトバルブ駆動回路を有することを特徴とする。
【００２０】
請求項９記載の発明は、請求項１または２記載の発明において、赤色、緑色、青色それぞれの発光ダイオードはアレイ状に配列されていることを特徴とする。
【００２１】
請求項１０記載の発明は、請求項１または２記載の発明において、赤色、緑色、青色それぞれの発光ダイオードからの赤色、緑色、青色の照明光をそれぞれの入射面に入射し、残り１面の射出面から各色あるいは各色が合成された照明光を射出するクロスダイクロイックプリズムを有することを特徴とする。
【００２２】
請求項１１記載の発明は、請求項１乃至１０のいずれかに記載の発明において、発光ダイオードごとに少なくとも一つずつのカップリングレンズを備えることを特徴とする。
【００２３】
請求項１２記載の発明は、請求項１乃至１１のいずれかに記載の発明において、発光ダイオードと照明系を構成するレンズの間に少なくとも一つのマイクロレンズアレイを有することを特徴とする。
【００２４】
請求項１３記載の発明は、請求項１乃至１２のいずれかに記載の発明において、発光ダイオードとライトバルブの間に少なくとも一つの偏光変換素子を有することを特徴とする。
【００２５】
請求項１４記載の発明は、請求項１乃至１３のいずれかに記載の発明において、ライトバルブは透過型液晶素子であることを特徴とする。
【００２６】
請求項１５記載の発明は、請求項１乃至１３のいずれかに記載の発明において、ライトバルブは反射型液晶素子であることを特徴とする。
【００２７】
請求項１６記載の発明は、請求項１乃至１３のいずれかに記載の発明において、ライトバルブはデジタルマイクロミラーデバイス（ＤＭＤ）であることを特徴とする。
【００２８】
請求項１７記載の発明は、表示装置により形成される画像を被投射面上に投射表示するプロジェクタであって、表示装置は請求項１乃至１６のいずれかに記載のカラー表示装置であることを特徴とする。
【００２９】
請求項１８記載の発明は、表示装置により形成される画像を観察するための接眼レンズを有してなる接眼型表示装置であって、表示装置は請求項１乃至１６のいずれかに記載のカラー表示装置であることを特徴とする。
【発明の効果】
【００３０】
本発明によれば、例えば、ＴＦＴ液晶ライトバルブ、その他のライトバルブと、ＬＥＤ照明を用い、単板のライトバルブでカラー表示が可能であり、なおかつ省電力で光源・ライトバルブともに寿命の長い小型の表示装置を得ることができる。
【００３１】
また、ライトバルブに投影光学系を取り付けることでプロジェクタやリアプロジェクションテレビのような投射型表示装置を得ることができる。
さらに、ライトバルブに接眼光学系を取り付けることで接眼型表示装置を得ることもできる。
【発明を実施するための最良の形態】
【００３２】
以下、図面を参照しながら、本発明にかかるカラー表示装置、プロジェクタ及び接眼型表示装置の実施の形態について説明する。
【００３３】
先ず、本発明にかかるカラー表示装置について説明する。なお、以下の説明では、図１に示すように、横方向をＸ方向、縦方向をＹ方向とする。Ｙ方向は、後で説明するようにＲ，Ｇ，ＢのＬＥＤの配列方向であり、Ｘ方向はライトバンドの配列方向である。
【実施例１】
【００３４】
図２と図３は、三原色ＬＥＤによってカラースクロールを行う本発明にかかるカラー表示装置の実施の形態を示す構成図であり、図２はＸ断面図、図３はＹ断面図である。
カラー表示装置は、単一のライトバルブ１と、このライトバルブ１を照明するための照明系とを有してなる。照明系は、照明光源３と、少なくとも一枚のレンチキュラーレンズとを備える。
ライトバルブ１の例としては、透過型液晶素子、反射型液晶素子、ＤＭＤ（Digital Micromirror Device）があるが、以下の説明ではＴＦＴ液晶ライトバルブとする。
照明光源３は、赤色（Ｒ）、緑色（Ｇ）、青色（Ｂ）の発光ダイオード（ＬＥＤ）を各々少なくとも二つずつ備えている。また、各色のＬＥＤはアレイ状に配列されている。すなわち、ＬＥＤアレイを構成している。
レンチキュラーレンズ２は、照明光源３を構成するＲ，Ｇ，Ｂ各色の発光ダイオードから射出された照明光によってライトバルブ１を複数の色ライトバンドで照明するためのレンズである。
【００３５】
このように、カラー表示装置は、照明光源３からの照明光によってライトバルブ１を照明するように構成されていて、ライトバルブ１は、照明系により複数の色ライトバンドで照明される。より具体的には、上記ＬＥＤアレイを構成するＲ，Ｇ，Ｂのうちの一つのＬＥＤが選択されて発光することにより、そのＬＥＤによる色ライトバンドが形成され、この色ライトバンドでライトバルブ１が照明される。またカラー表示装置は、照明光源３を構成するＬＥＤそれぞれのオン・オフ信号と、ライトバルブ１の画素の変調信号を同期させることでカラー表示を行う。
【００３６】
ここで、カラー表示装置が備えるライトバルブ駆動回路について説明する。このライトバルブ駆動回路は、色ライトバンドにより照射される各ライトバルブ部分をアドレス指定して、この部分に当該色ライトバンドの色の画像情報を提供させるとともに、当該バンドをこの情報によって変調させるためのものである。
【００３７】
図４は、照明されたＴＦＴ液晶ライトバルブ１上のライトバンドと各々のライトバンドの色を示している。実施例１では、図３または図４に示すように、ＴＦＴ液晶ライトバルブ１をＹ方向に五分割して、五本のライトバンドで照明する。ここで、各色ライトバンドには、照明光源３を構成する各色のＬＥＤが各々少なくとも一つずつ対応している。
【００３８】
照明方法としては、照明系にレンチキュラーレンズを用いることで、図２または図３に示すように赤色、緑色、青色の三ＬＥＤが一本のライトバンドに対応しており、Ｘ断面においてはテレセントリック照明によってそれぞれのＬＥＤがＴＦＴ液晶ライトバルブ１のＸ方向全体を照明し、Ｙ断面においては焦点ずれのクリティカル照明（この場合には無限遠焦点）によってＴＦＴ液晶ライトバルブ１の１／５を照明する。これにより、Ｘ方向に並んだ赤色、緑色、青色の三ＬＥＤの一セットがそれぞれ一本のライトバンドを形成する。
【００３９】
なお、各色のＬＥＤのオン・オフによって各色ライトバンドの色を切り替えることができる。ここで各ＬＥＤは、別々にオン・オフの制御が可能であるため、ＴＦＴ液晶ライトバルブ１を照明する五本のライトバンドの色は、ライトバンドごとに別々に制御可能である。したがって、逐次ＬＥＤのオン・オフを行うことにより、ＴＦＴ液晶ライトバルブ１のカラースクロール照明が可能となる。
【００４０】
例えば図５に示すＮＴＳＣ（National Television Standards Committee）方式のようにフィールド周波数６０ヘルツ、つまり１／６０秒ごとに一コマのカラー画像を作る場合、ＴＦＴ液晶ライトバルブ１上のライトバンドの色を（１／６０）×（１／３）×（１／５）＝１／９００秒で逐次切り替え、ＴＦＴ液晶ライトバルブ１の方は（１／６０）×（１／３）＝１／１８０秒ごとに各色の画像一コマを作ることでカラー表示を行うことができる。
【００４１】
なお、ライトバンド数を増やし、ライトバルブの照明分割数を増やすことで、よりシームレスなカラースクロールを達成することができる。
【００４２】
また、ＴＦＴ液晶ライトバルブ１を複数の色ライトバンドで照明する場合、実際にはＴＦＴ液晶ライトバルブ１上のライトバンド内において隣り合う色どうしの変調情報が混ざることがある。
そこで、図６に示すように隣り合う色どうしの間のライトバンド（異なる色ライトバンド間のライトバンド）は、無照明状態または白色照明状態にするとよい。無照明状態のライトバンドは、ライトバンドに対応する全ＬＥＤをオフにすることで実現できる。また、白色照明状態のライトバンドは、全ＬＥＤをオンすることで実現できる。
【実施例２】
【００４３】
実施例２は、ＬＥＤ光源数を増やすことで、実施例１に比べてＴＦＴ液晶ライトバルブ上の照度を倍加させるものである。
ＬＥＤ光源数を増やすために、照明光源３を構成するＬＥＤアレイの配列数、すなわちＸ方向のＬＥＤの数を単純に増やしたのでは、照明装置の径方向が大型化されてしまい、また、放熱あるいは光利用効率の面でも望ましいものではない。
そこで、クロスダイクロイックプリズム４の周辺に各色ＬＥＤアレイ３とレンチキュラーレンズ２を配置する。図７は実施例２のカラー表示装置のＹ断面図であり、レンチキュラーレンズ２のテレセントリック照明によってＴＦＴ液晶ライトバルブ１のＸ方向は全域照明される（図示は省略する）。
ここで、クロスダイクロイックプリズム４は、各色ＬＥＤ（２Ｒ，２Ｇ，２Ｂ）からの照明光の入射面（４Ｒ，４Ｇ，４Ｂ）と、ライトバルブ１を照明する照明光を射出する射出面４１とを備える。射出面４１から射出される照明光は、各色（Ｒ，Ｇ，Ｂ）あるいは各色が合成された照明光である。
【００４４】
なお、図７は、ライトバンドが三本の場合を例として示しているが、ＬＥＤアレイのＹ断面方向の行を増やすことで、よりシームレスなカラースクロールを行うことができる。
また、実施例２においても、各色ＬＥＤのオン・オフで各ライトバンドの色を別々に制御可能であることは実施例１と同様である。
【実施例３】
【００４５】
実施例３は、実施例１または実施例２よりもさらに光利用効率を上げ、なおかつライトバルブ上の照度ムラを減少させるものである。
図８と図９は、実施例３のカラー表示装置のＸ断面図とＹ断面図である。実施例３は、偏向変換素子としてのカップリングレンズ５によってＬＥＤからの光取り出し効率を上げ、なおかつ、マイクロレンズアレイ６を用いることで、ＴＦＴ液晶ライトバルブ１上での照度ムラを減少させるものである。
図９に示すように、クロスダイクロイックプリズム４の３辺それぞれに、赤（Ｒ）のＬＥＤ３Ｒが３個、緑（Ｇ）のＬＥＤ３Ｇが３個、青（Ｂ）のＬＥＤ３Ｂが３個、Ｘ方向に配列されている。符号５Ｒは各ＬＥＤ３Ｒに対応するカップリングレンズで、６Ｒはマイクロレンズアレイ、２Ｒはレンチキュラーレンズを示す。同様に、５Ｇは各ＬＥＤ３Ｇに対応するカップリングレンズで、６Ｇはマイクロレンズアレイ、２Ｇはレンチキュラーレンズを示す。同様に、５Ｂは各ＬＥＤ３Ｂに対応するカップリングレンズで、６Ｂはマイクロレンズアレイ、２Ｂはレンチキュラーレンズを示す。
カップリングレンズ５は、ＬＥＤごとに少なくとも一つずつ設ける。また、マイクロレンズアレイ６は、ＬＥＤとレンチキュラーレンズ２との間（光路上）に、少なくとも一つ設ける。
【００４６】
実施例３は、実施例１、実施例２と異なり、Ｘ、Ｙの両方向においてケーラー照明を行う。特に、マイクロレンズアレイ６によって光束分割を行うことで、照度ムラを減少させることができる。
各色とも、ＬＥＤアレイを構成するＬＥＤの数は３×３＝９個であり、実施例２と同様にライトバンドは三本とした。Ｘ方向の照明を図８に示すが、理解を容易にするために緑のＬＥＤアレイ３Ｇ以外は図示を省略し、なおかつＸ方向に並ぶＬＥＤのうち、一個のＬＥＤの光線経路だけを示して、各ＬＥＤがケーラー照明によってＴＦＴ液晶ライトバルブ１のＸ方向全体を照明することを示した。このような方法で、実施例３においては１／９００秒間に、通常三個のＬＥＤが一本のライトバンドを照明する。
【実施例４】
【００４７】
実施例４は、レンチキュラーレンズに代えて、アナモフィックレンズを用いる場合である。アナモフィックレンズを用いた場合であっても、レンチキュラーレンズを用いた実施例１から３と同様にカラースクロールを行うことができることを示す。
図１０と図１１は、実施例３のカラー表示装置のＸ断面図とＹ断面図である。図１０に示すように、レンズＬａ，Ｌｂは、Ｘ断面においてはＴＦＴ液晶ライトバルブ１を各ＬＥＤがテレセントリック照明するような屈折力を有し、Ｙ断面においては焦点ずれのクリティカル照明するような屈折力を有している。焦点ずれのクリティカル照明を行うことで、Ｙ断面においてはＴＦＴ液晶ライトバルブ１を五分割して照明することができ、前述の実施例１〜３と同様にカラースクロールが可能となる。
なお、焦点ずれクリティカル照明は、光源側・ライトバルブ側共にテレセントリックな光学系であることが望ましい。
【００４８】
次に、これまで説明した本発明にかかるカラー表示装置を適用した画像投射装置や接眼型表示装置について説明する。
【００４９】
図１２は、画像投射装置であるプロジェクタの実施の形態を示す光学配置図（Ｙ断面図）であり、１０はＴＦＴ液晶ライトバルブ、２０は照明系を構成するレンチキュラーレンズ、３０は照明光源、４０はクロスダイクロイックプリズム、１１は偏光素子としての偏光ビームスプリッタ、１２は投射レンズ、１３は被投射面としてのスクリーンを示す。
プロジェクタは、照明光源３０から射出された光束をライトバルブ１０に照明するための表示装置と、ライトバルブ１０上の画像をスクリーン１３に投射するための投射光学系とを有してなる。図１２に示すプロジェクタを構成する表示装置は、前述の図７に示した、クロスダイクロイックプリズムの周辺に各色ＬＥＤアレイとレンチキュラーレンズを配置した実施例２に相当するカラー表示装置を用いたものである。また、投射レンズ１２は、投射光学系を構成する光学素子である。
【００５０】
照明光源３０から射出された光束は、レンズ２０、クロスダイクロイックプリズム４０を通過して、偏光ビームスプリッタ１１により偏光されてライトバルブ１０に照明される。ライトバルブ１０で変調された光束は、偏光ビームスプリッタ１１を通過して投射レンズ１２によりスクリーン１３に投射される。このように、プロジェクタは、表示装置により形成される画像を被投射面上に投射する。
【００５１】
このようなプロジェクタの表示装置として、前述の本発明にかかるカラー表示装置を用いることで、プロジェクタの小型化と共に、ライトバルブや光源の長寿命化を図ることができる。
【００５２】
なお、図１２は、反射型のライトバルブを用いたプロジェクタを示しているが、本発明にかかる画像投射装置としては、反射型に限らず透過型のライトバルブを備えたものであってもよい。
【００５３】
また、前述の画像投射装置と同様に、接眼型表示装置の表示装置として、本発明にかかるカラー表示装置を用いることもできる。
図１３は、接眼型表示装置の実施の形態を示す光学配置図（Ｙ断面図）であり、符号１００はライトバルブ、１４は接眼レンズを示す。ライトバルブ１００は、透過型である。
接眼レンズ１４は、表示装置により形成された画像、すなわちライトバルブ１００上に表示された画像を観察するためのレンズである。照明光源３０から射出された光束は、レンズ２０、クロスダイクロイックプリズム４０を通過してライトバルブ１００を照明する。ライトバルブ１００上に表示された画像は、接眼レンズ１４の紙面右側に位置する人眼から接眼レンズ１４を介して観察される。
【００５４】
このような接眼型表示装置の表示装置として、本発明にかかるカラー表示装置を用いることで、接眼型表示装置の小型化と共に、ライトバルブや光源の長寿命化を図ることができる。
【産業上の利用可能性】
【００５５】
本発明に係るカラー表示装置は、プロジェクタなどの画像投射装置や接眼型表示装置を構成する表示装置に適用することができる。
【図面の簡単な説明】
【００５６】
【図１】本発明におけるＸ方向とＹ方向について説明する模式図である。
【図２】本発明にかかるカラー表示装置の実施の形態を示す光学配置図（Ｘ断面図）である。
【図３】本発明にかかるカラー表示装置の実施の形態を示す光学配置図（Ｙ断面図）である。
【図４】上記カラー表示装置により照明されたライトバルブ上のライトバンドの例を示す模式図である。
【図５】上記ライトバンドの色の切り替えについて示す模式図である。
【図６】異なる色ライトバンド間を、無照明状態または白色照明状態とすることを示す模式図である。
【図７】本発明にかかるカラー表示装置の別の実施の形態を示す光学配置図（Ｙ断面図）である。
【図８】本発明にかかるカラー表示装置のさらに別の実施の形態を示す光学配置図（Ｘ断面図）である。
【図９】本発明にかかるカラー表示装置のさらに別の実施の形態を示す光学配置図（Ｙ断面図）である。
【図１０】本発明にかかるカラー表示装置のさらに別の実施の形態を示す光学配置図（Ｘ断面図）である。
【図１１】本発明にかかるカラー表示装置のさらに別の実施の形態を示す光学配置図（Ｙ断面図）である。
【図１２】本発明にかかるプロジェクタの実施の形態を示す光学配置図（Ｙ断面図）である。
【図１３】本発明にかかる接眼型表示装置の実施の形態を示す光学配置図（Ｙ断面図）である。
【符号の説明】
【００５７】
１  ライトバルブ
２  照明系を構成するレンズ
３  照明系を構成する照明光源
４  クロスダイクロイックプリズム
５  カップリングレンズ
６  マイクロレンズアレイ
Ｌａ，Ｌｂ  レンズ
【図１】
2006084753.tif 000003
【図２】
2006084753.tif 000004
【図３】
2006084753.tif 000005
【図４】
2006084753.tif 000006
【図５】
2006084753.tif 000007
【図６】
2006084753.tif 000008
【図７】
2006084753.tif 000009
【図８】
2006084753.tif 000010
【図９】
2006084753.tif 000011
【図１０】
2006084753.tif 000012
【図１１】
2006084753.tif 000013
【図１２】
2006084753.tif 000014
【図１３】
2006084753.tif 000015